(57)【要約】【課題】  液晶テレビなどの薄型表示装置を構成する額縁状の前キャビネットの画面表示用開口窓周辺の背面に該前キャビネットと一体に成型されたリブと対応する該前キャビネットの前面に該リブによる偏肉に起因し発生するヒケによる外観品位を損なう問題の回避手段を提供する。【解決手段】  液晶テレビなどの薄型表示装置の額縁状の前キャビネットの背面に配設したリブ位置に対応する該前キャビネット前面に意匠デザインとして断面凹状の溝または凸状の突部をアクセントラインとして設ける。あるいはリブ位置に対応する該前キャビネット前面にテクスチャを形成することにより平坦面で目立つヒケによる外観品位の低下を回避または軽減する。【選択図】  図５
2007110579.tif 000002
【特許請求の範囲】
【請求項１】
液晶表示パネルやプラズマディスプレイパネルなどを表示素子とする薄型表示装置の前キャビネットにおいて、該薄型表示装置を構成する額縁状の該前キャビネットの背面に画面表示用開口窓近傍を取り囲むように形成されたリブ位置に対応する該前キャビネットの前面に、アクセントラインを形成したことを特徴とする薄型表示装置の前キャビネット。
【請求項２】
請求項１に記載の薄型表示装置の前キャビネットにおいて、前記アクセントラインとして断面形状を溝状および、または凸状のラインとして形成したことを特徴とする薄型表示装置の前キャビネット。
【請求項３】
請求項１に記載の薄型表示装置の前キャビネットにおいて、前記アクセントラインとしてテクスチャのラインを形成したことを特徴とする薄型表示装置の前キャビネット。
【請求項４】
請求項１に記載の薄型表示装置の前キャビネットにおいて、前記アクセントラインとして断面形状を溝状および、または凸状のラインを設け、その上にテクスチャを形成したことを特徴とする薄型表示装置の前キャビネット。
【請求項５】
請求項１乃至４のいづれかに記載の薄型表示装置の前キャビネットにおいて、該前キャビネット表面に光沢仕上げを施したことを特徴とする薄型表示装置の前キャビネット。
【発明の詳細な説明】
【技術分野】
【０００１】
本発明は、液晶テレビなどの薄型表示装置を構成する額縁状の前キャビネットの構造に関し、詳しくは該前キャビネットの背面に該前キャビネットと一体に成型された液晶表示パネルユニット配設位置規制用のリブ位置に対応する該前キャビネットの前面に発生する凹痕状のヒケによる外観品位の低下を回避する手段に関する。
【背景技術】
【０００２】
熱可塑性樹脂材料による成型部品の強度向上または液晶表示パネルユニットなどの大型で質量の大きい構成部品の配設位置規制手段として該熱可塑性樹脂成型部品にリブを一体に形成する手段が広く適用されている。該リブが立ち上がる部分は他の部位に比し厚肉構造となるため該立ち上がり部分の位置に対応する該成型部品の前面には成型加工時に凹痕状のヒケが発生し、外観品位を著しく低下させる原因となることがある。特に広い平坦面に光沢塗装を施した外観面では、艶消し仕上げや半艶仕上げ処理をした場合に比し凹痕や歪による僅かな表面の不均一性が強調され目立つ。
【０００３】
樹脂材料の分布が不均一となり厚肉部を形成するボスやリブを一体成型した射出成型部品に発生するヒケを防止するには製品設計、成型金型設計および成型条件などの多くの段階で配慮が必要であるが根絶は困難である。近時、射出成型品のヒケや反りなどの変形防止手段として射出成型金型内に溶融樹脂材料を充填中に高圧の窒素ガスを注入するガスアシスト成型技術が開発されているが、意匠デザイン面の必要性から外観面に高光沢仕上げを施した場合にはガスチャンネルの経路が外表面から認識され、新たな外観品位低下の原因となる他にガス注入ピン位置やガス注入タイミングなど、設計および生産の各段階において複雑なノウハウを必要とする。
【０００４】
内面にリブを有する熱可塑性樹脂が成型加工された外観部品の表面側に発生するヒケにより外観品位が損なわれる前記問題発生の防止手段としては、特許文献１に見られるごとくリブやボスに起因するヒケを有する下パネルのさらに表面を該リブや該ボスによる偏肉部分を有しない装飾用の上パネルにより覆う二重構造とする発明がなされているが、部品点数の増加による経済面でのデメリットを伴う。また他の例としては特許文献２に見られるごとく、ボスやリブに起因するヒケが特に認識され易い前面に発生することを回避するために例えばテレビジョン受像機の前面パネルの周囲に形成された立壁部の所要位置に基部を形成し、この基部にボスを形成する発明がなされているが成型金型の構造が複雑となるデメリットを有している。
【特許文献１】特開平９−２８３９４０号公報
【特許文献２】特開２００３−２５９２５０号公報
【発明の開示】
【発明が解決しようとする課題】
【０００５】
液晶テレビなどの薄型表示装置を構成する額縁状の前キャビネットの背面には、該前キャビネットの反りなどの変形防止、剛性の向上、大型で質量の大きい構成部品である液晶表示パネルユニットを該前キャビネットに取り付け時の該液晶表示パネルユニットの位置規制、該液晶表示パネルとバックライトユニット間への塵埃の侵入による画面表示品位の低下防止を目的として該前キャビネットの背面側にリブを該前キャビネットと一体に形成するが、該リブの配設位置に対応する該前キャビネットの前面に凹痕状のヒケが発生することによる外観品位の低下を回避する手段を提供する。
【課題を解決するための手段】
【０００６】
液晶テレビなどの薄型表示装置において、該薄型表示装置を構成する熱可塑性樹脂材料の成型加工により形成された前キャビネットの反りなどの変形防止、剛性の向上、液晶表示パネルユニットを該前キャビネットに取り付け時の該液晶表示パネルユニットの位置規制、該液晶表示パネルとバックライトユニット間への塵埃の侵入による画面表示品位の低下防止を目的として該前キャビネットの背面側に形成されたリブ位置に対応する該前キャビネットの前面にアクセントラインを設け、意匠デザインの一部として積極的に活用する。
【０００７】
アクセントラインとしては、断面形状を溝状および、または凸状のラインとして形成することや、テクスチャのラインを形成することや、これらを組合わせ足断面形状を溝状および、または凸状のラインを設け、その上にテクスチャを形成することで、意匠デザインの一部として積極的に活用することが可能となる。
【０００８】
前キャビネットの背面側に形成されたリブ位置に対応する該前キャビネットの前面にアクセントラインを設けることは、特に光沢塗装仕上げを施した外観面への適用時において顕著な効果が期待出来る。
【発明の効果】
【０００９】
熱可塑性樹脂の成型加工による薄型表示装置の前キャビネットの背面に一体に形成されたリブの配設位置に対応する該前キャビネットの前面位置に成型加工時に発生する凹痕状のヒケ部分の前面側に断面が溝状の凹部または断面が凸状の突部を形成し、画面表示用開口窓周辺を連続的に取り囲むような意匠デザイン上のアクセントラインに転化させることにより、ヒケ発生による外観品位の低下を回避できるのみならず、意匠デザインとして積極的に活用することにより単調な平坦面の外観に新たな造形美を創出することが出来る。
【００１０】
液晶テレビなどの薄型表示装置を構成する額縁状の前キャビネットの背面に画面表示用開口窓を取り囲むように形成されたリブ位置に対応する該前キャビネットの前面位置にテクスチャを形成することにより広く平坦な領域において目立つヒケが認識されることを回避または軽減する。特に光沢塗装仕上げを施した外観面への適用時において顕著な効果が期待出来る。
【発明を実施するための最良の形態】
【００１１】
以下、図に基づき本発明の実施形態を液晶テレビに適用した場合に関し説明する。図１（ａ）は液晶テレビの外観正面図、図１（ｂ）は側面図である。図１において１は画像表示のための液晶表示パネル、２は前キャビネット、２ｂはアクセントライン、２ｃは画面表示用開口窓枠部、３は後ろキャビネット、４は液晶テレビを卓上型として使用する場合のスタンド、５はキャリングハンドル、６はスピーカパネル部である。
【００１２】
次に、図２の液晶テレビ内部の分解斜視図に基づき光学系ユニットの構成を説明する。液晶表示パネル1の背面側には、液晶画面表示の高輝度化や面輝度均一化などの画像品位改善のため、光反射、偏光、屈折、光拡散など高度の光制御技術を利用し表面に多数のマイクロレンズアレイを形成するなどの手段を施した複数枚のフィルム状の光学シートセット１１が配設されている。さらに該光学シートセット１１の後方には該光学シートセット１１および該液晶表示パネル１の背面から光照射するためのバックライトユニット１５が配設されている。該バックライトユニット１５は光拡散板１２と共にバックライトシャーシ１４内部に多数の発光管１３を配設し構成されている。
【００１３】
図３は前キャビネット２の背面に液晶表示パネル１（図示せず）とバックライトユニット１５、および前キャビネット２の左右位置にスピーカボックス７を配設した状態を示す斜視図である。前キャビネット２の背面の画面表示用開口窓枠部２ｃ（図示せず）周辺を囲む位置にリブ２ａが該前キャビネット２と一体に形成され、該液晶表示パネルおよび該バックライトユニット１５が該前キャビネット２の該リブ２ａに囲まれるように配設されている。またステレオ音響効果を実現するため該前キャビネット２の左右対象位置に複数のスピーカボックス７が配設されている。但し、リブ２ａは画面表示用開口窓枠部２ｃ周辺を全周に渡って設けられる場合や、ワイヤー通過等のために一部が不連続の状態で設けられる場合や、リブ２ａの高さを部分的に変える場合もある。
【００１４】
図４（ａ）は図１中に鎖線Ａ−Ａで示す切断線に沿って切断した前キャビネット２の上部中央近傍の端面拡大図である。図４（ｂ）ヒケの症状を説明する端面断面図である。該前キャビネット２背面の表示用開口窓枠部２ｃの周辺には該画面表示用開口窓枠部２ｃを囲むようにリブ２ａが形成されている。該リブ２ａは図２に示す液晶テレビを構成する液晶表示パネル１や光学シートセット１１、光拡散板１２、発光管１３およびバックライトシャーシ１４により構成されるバックライトユニット１５を含む光学系ユニットの配設位置を規制し保持するように該光学系ユニットの四側面を取り囲む位置に該リブ２ａが周状に配設されている。
【００１５】
前キャビネット２の背面に該画面表示用開口窓枠部２ｃを取り囲むように形成されたリブ２ａは、さらに該前キャビネット２の反り変形をも防止し、さらには図４中の液晶表示パネル１とバックライトユニット１５の間に塵埃が侵入し画像品位が劣化することを防止する為の防塵の目的をも果たしているが、前キャビネット２前面の液晶表示パネル１の画面表示用開口窓周辺に発生する意図しない凹痕状のヒケは、意匠デザイン面の必要性から外観面に高光沢仕上げを施した場合には特に目立ち、著しく外観品位を損なう。
【００１６】
図４（ｂ）において、該前キャビネット２１の成型加工時に成型金型内に溶融し充填された熱可塑性樹脂は、成型金型表面を通じ冷却固化され前キャビネット２１の外表面から固化が進む冷却固化の過程において、樹脂材料表面が内部の溶融状態にある樹脂材料の体積収縮に伴う収縮力により図４（ｂ）に示す該前キャビネット２１の厚肉部であるリブ２１ａの立ち上がり位置に対応する前キャビネット２１の前面に凹痕状のヒケ２１ｄが発生する。
【００１７】
樹脂材料の分布が不均一となり厚肉部を形成するリブ２１ａを一体成型した前キャビネット２１に発生するヒケ２１ｄを防止すると共に、該前キャビネット２１の前面の意匠デザインが単調になることを避けるため、本発明の第１の実施形態として図５（ａ）に示すごとく該前キャビネット２背面のリブ２ａ位置に対応する該前キャビネット２前面の画面表示用開口窓の四周を取り囲む位置に該前キャビネット２断面が凹状の連続した溝形状のアクセントライン２ｂを形成する。本来ならば外観品位を低下させる原因となる凹痕状のヒケを積極的に活用することにより外観意匠デザイン面に新たな造形美を創出することが可能となる。
【００１８】
図５（ｂ）は本発明の第２の実施形態を示す前キャビネット２２の上部中央近傍の縦断面斜視図で、該前キャビネット２２背面のリブ２２ａ位置に対応する該前キャビネット２２前面の画面表示用開口窓の四周を取り囲む位置に該前キャビネット２２の断面が凸状の連続した突部（アクセントライン）２２ｂを形成している。
【００１９】
図５（ｃ）乃至（ｅ）は本発明の第３の実施形態を示す前キャビネット３２、４２および５２の上部中央近傍の縦断面斜視図で、該前キャビネット３２、４２および５２背面のリブ３２ａ、４２ａおよび５２ａ位置に対応する該前キャビネット３２、４２および５２前面のそれぞれの画面表示用開口窓の四周を取り囲む位置に、図５（ｃ）に示すごとくヘアライン模様（アクセントライン）３２ｂを、図５（ｄ）に示すごとく該前キャビネットの背面に達しない多数の微細有底孔（アクセントライン）４２ｂを、図５（ｅ）に示すごとく成型金型のコア面をケミカルエッチングした凹凸模様（アクセントライン）５２ｂをそれぞれ形成し、本来ならば外観品位を低下させる原因となる凹痕状のヒケを積極的に活用することにより外観意匠デザイン面に新たな造形美を創出することを可能としている。尚、図５（ａ）におけるアクセントラインは断面矩形で説明したが、溝状の断面形状には特に限定はなく、断面が曲率を有する溝形状等も当然含むものである。また、図５（ｃ）、（ｄ）、（ｅ）おいては、溝内に模様を施してあるが、平面上や凸部に施すことでも同様の効果が得られる。更に、アクセントラインは全周に亘って同一の形状や模様で統一する必要もなく、これらの組み合わせとして施されることでも同様の効果が得られる。
【図面の簡単な説明】
【００２０】
【図１】本発明の実施形態に係わる液晶テレビの外観図である。
【図２】液晶テレビ内部の光学系の構成を説明する分解斜視図である。
【図３】前キャビネットの背面に液晶表示パネルとバックライトユニットおよびスピーカボックスを配設した状態を示す斜視図である。
【図４】図１中に鎖線Ａ−Ａで示す切断線に沿って切断した前キャビネットの上部中央近傍の端面拡大図である。
【図５】図１中に鎖線Ａ−Ａで示す切断線に沿って切断した前キャビネットのリブ位置の反対面に図４（ａ）は断面凹状の溝、図４（ｂ）は断面凸状の突部、図４（ｃ）乃至（ｅ）はテクスチャをそれぞれ形成した縦断面斜視図である。
【符号の説明】
【００２１】
１：  液晶表示パネル 
２：  前キャビネット
２ａ：  リブ  
２ｂ：  ヒケ（アクセントライン）
３：  後ろキャビネット
４：  スタンド
５：  キャリングハンドル
６：  スピーカパネル部
７：  スピーカボックス
１１：  光学シートセット
１２：  光拡散板
１３：  発光管
１４：  バックライトシャーシ
１５：  バックライトユニット
２２：  前キャビネット
２２ａ：  リブ  
２２ｂ：  突部（アクセントライン）
３２：  前キャビネット
３２ａ：  リブ  
３２ｂ：  ヘアライン模様（アクセントライン）
４２：  前キャビネット
４２ａ：  リブ  
４２ｂ：  微細有底穴（アクセントライン）
５２：  前キャビネット
５２ａ：  リブ  
５２ｂ：  凹凸模様（アクセントライン）
【図１】
2007110579.tif 000003
【図２】
2007110579.tif 000004
【図３】
2007110579.tif 000005
【図４】
2007110579.tif 000006
【図５】
2007110579.tif 000007